(57)【要約】【課題】簡単な操作によって複数の情報を順次に表示させて見比べることができる使い勝手のよい電子情報表示装置を提供する。【解決手段】  メモリカード１００に記憶されている各情報を表示させた場合の表示画面のサムネイル３０を、タッチパネル１２を備える第１画面１１に表示し、サムネイル３０をタップして選択し、アイコン３２ａ又はアイコン３２ｂをタップすることによって情報を表示する画面を選択し、アップ用アイコン３３ｂ又はダウン用アイコン３３ｃをタップすることによって、順番表示枠３３ａに表示されている表示順番の数字を選択する。そして、選択されたサムネイル３０に対応する情報を、選択された第１画面１１又は第２画面１３に、選択された順番に表示させる。【選択図】図６
2008217647.tif 000002
【特許請求の範囲】
【請求項１】
第１表示装置と第２表示装置とを有し、少なくとも前記第１表示装置にタッチパネルを備えた電子情報表示装置であって、
第１記憶装置に記憶されている情報の識別情報、表示装置選択用情報、及び、表示順番選択用情報を前記第１表示装置に表示させる表示手段と、
前記第１表示装置における前記識別情報、前記表示装置選択用情報、及び、前記表示順番選択用情報の表示箇所に対応する前記タッチパネルの感応箇所へのタッチ入力に基づいて、前記第１記憶装置に記憶されている情報の選択、前記選択された情報を前記第１表示装置及び前記第２表示装置のどちらに表示するかの選択、及び、表示する順番の選択を受け付ける選択受付手段と、
前記選択受付手段が受け付けた受付内容を第２記憶装置に記憶する記憶手段と、を備え、
前記表示手段は、前記第２記憶装置に記憶されている受付内容に基づいて、前記第１記憶装置に記憶されている情報を前記第１表示装置及び前記第２表示装置に表示させることを特徴とする電子情報表示装置。
【請求項２】
順送りの指示の入力を受け付ける順送指示受付手段と、
逆送りの指示の入力を受け付ける逆送指示受付手段と、をさらに備え、
前記表示手段は、前記順送指示受付手段が入力を受け付けた場合に、表示する順番が前記第１表示装置又は前記第２表示装置に表示されている情報の後の順番である情報を表示し、前記逆送指示受付手段が入力を受け付けた場合に、表示する順番が前記第１表示装置又は前記第２表示装置に表示されている情報の前の順番である情報を表示することを特徴とする請求項１に記載の電子情報表示装置。
【請求項３】
前記第１記憶装置は、可搬型であり電子情報表示装置に着脱自在であることを特徴とする請求項１又は２に記載の電子情報表示装置。
【請求項４】
前記第１表示装置と前記第２表示装置との間にヒンジ機構を備え、当該ヒンジ機構の働きにより前記第１表示装置の表示画面と前記第２表示装置の表示画面とを対面させた状態に折りたたみ可能であることを特徴とする請求項１乃至３のいずれか１に記載の電子情報表示装置。
【請求項５】
前記第１表示装置及び前記第２表示装置は、電子ペーパーであることを特徴とする請求項１乃至４のいずれかに記載の電子情報表示装置。
【発明の詳細な説明】
【技術分野】
【０００１】
本発明は、電子情報表示装置に関し、詳しくは、第１表示装置と第２表示装置とを有し、少なくとも第１表示装置にタッチパネルを備える電子情報表示装置に関するものである。
【背景技術】
【０００２】
従来、例えば、特許文献１に記載されているように、第１表示装置と第２表示装置とを有し、第１表示装置及び第２表示装置にタッチパネルが設けられた電子情報表示装置が発明されている。特許文献１のように、従来の電子情報表示装置では、コンテンツとして書籍、雑誌、新聞などを選択すると、第１表示装置又は第２表示装置に目次が表示され、目次に列挙された選択肢をスタイラス（stylus）などでタップするとタップされた選択肢に応じたページが第１表示装置又は第２表示装置に表示される。
【特許文献１】特開２０００−５０１２１４号公報
【発明の開示】
【発明が解決しようとする課題】
【０００３】
コンテンツが辞書や辞典などである場合には特に、関連する複数のページを順次に表示させて見比べたい場合がある。しかし、従来の電子情報表示装置では、表示させたいページが複数ある場合には、そのたびに目次を表示し、目次に列挙された選択肢を選択する操作をして目的のページを表示させなければならず、複数のページを表示させて見比べたい場合などには操作が面倒で使い勝手が悪いという問題があった。
【０００４】
本発明は、係る問題に鑑みてなされたものであり、簡単な操作によって複数のページを順次に表示させて見比べることができる使い勝手のよい電子情報表示装置を提供することを目的とする。
【課題を解決するための手段】
【０００５】
上記目的を達成するために、請求項１に記載の電子情報表示装置は、第１表示装置と第２表示装置とを有し、少なくとも前記第１表示装置にタッチパネルを備えた電子情報表示装置であって、第１記憶装置に記憶されている情報の識別情報、表示装置選択用情報、及び、表示順番選択用情報を前記第１表示装置に表示させる表示手段と、前記第１表示装置における前記識別情報、前記表示装置選択用情報、及び、前記表示順番選択用情報の表示箇所に対応する前記タッチパネルの感応箇所へのタッチ入力に基づいて、前記第１記憶装置に記憶されている情報の選択、前記選択された情報を前記第１表示装置及び前記第２表示装置のどちらに表示するかの選択、及び、表示する順番の選択を受け付ける選択受付手段と、前記選択受付手段が受け付けた受付内容を第２記憶装置に記憶する記憶手段と、を備え、前記表示手段は、前記第２記憶装置に記憶されている受付内容に基づいて、前記第１記憶装置に記憶されている情報を前記第１表示装置及び前記第２表示装置に表示させることを特徴としている。
【０００６】
この構成によれば、第１表示装置と第２表示装置とを有し、少なくとも第１表示装置にタッチパネルを供えた電子情報表示装置であって、表示手段により、第１記憶装置に記憶されている情報の識別情報、並びに、表示装置選択用情報、及び、表示順番選択用情報が第１表示装置に表示され、選択受付手段により、第１表示装置における識別情報、表示装置選択用情報、及び、表示順番選択用情報の表示箇所に対応するタッチパネルの感応箇所へのタッチ入力に基づいて、第１記憶装置に記憶されている情報の選択、選択された情報を第１表示装置及び第２表示装置のどちらに表示するかの選択、及び、表示する順番の選択が受け付けられる。そして、記憶手段により、選択受付手段が受け付けた受付内容が第２記憶手段に記憶され、表示手段により、第２記憶装置に記憶されている受付内容に基づいて、第１記憶装置に記憶されている情報が第１表示装置及び第２表示装置に表示される。
【０００７】
このように、第１記憶装置に記憶されている情報を、第１表示装置及び第２表示装置から選択した表示装置に、表示順番を指定して表示することができるので、ユーザは、例えば、第１記憶装置に記憶されている辞書、百科事典、取り扱い説明書などのコンテンツに含まれる複数の項目やページの情報を、項目やページ毎に所望の表示装置に所望の順番で表示させて見比べることができるので非常に使い勝手がよい。
【０００８】
請求項２に記載の電子情報表示装置は、請求項１に記載の電子情報表示装置であって、順送りの指示の入力を受け付ける順送指示受付手段と、逆送りの指示の入力を受け付ける逆送指示受付手段と、をさらに備え、前記表示手段は、前記順送指示受付手段が入力を受け付けた場合に、表示する順番が前記第１表示装置又は前記第２表示装置に表示されている情報の後の順番である情報を表示し、前記逆送指示受付手段が入力を受け付けた場合に、表示する順番が前記第１表示装置又は前記第２表示装置に表示されている情報の前の順番である情報を表示することを特徴としている。
【０００９】
この構成によれば、順送指示受付手段により、順送りの指示の入力が受け付けられ、逆送指示受付手段により、逆送りの指示の入力が受け付けられる。そして、表示手段により、順送指示受付手段が入力を受け付けた場合に、表示する順番が第１表示装置又は第２表示装置に表示されている情報の後の順番である情報が表示され、逆送指示受付手段が入力を受け付けた場合に、表示する順番が第１表示装置又は第２表示装置に表示されている情報の前の順番である情報が表示される。
【００１０】
このように、第１記憶装置に記憶されている情報を、ユーザの入力操作に応じて、表示順番通りに表示させたり、表示順番の逆順に表示させたりすることができるので、所望の情報を見比べることが容易となり、さらに使い勝手がよい。
【００１１】
請求項３に記載の電子情報表示装置は、請求項１又は２に記載の電子情報表示装置であって、前記第１記憶装置は、可搬型であり電子情報表示装置に着脱自在であることを特徴としている。
【００１２】
この構成によれば、第１表示装置又は第２表示装置に表示される情報を記憶する第１記憶装置は、可搬型であり電子情報表示装置に着脱自在である。したがって、電子情報表示装置に装着する第１記憶装置を変更することによって、様々なコンテンツの情報を第１表示装置及び第２表示装置に表示させることができる。
【００１３】
請求項４に記載の電子情報表示装置は、請求項１乃至３のいずれか１に記載の電子情報表示装置であって、前記第１表示装置と前記第２表示装置との間にヒンジ機構を備え、当該ヒンジ機構の働きにより前記第１表示装置の表示画面と前記第２表示装置の表示画面とを対面させた状態に折りたたみ可能であることを特徴としている。
【００１４】
この構成によれば、第１表示装置と第２表示装置との間に備えるヒンジ機構の働きにより、第１表示装置の表示画面と第２表示装置の表示画面とを対面させた状態に折りたたみが可能である。したがって、電子情報表示装置を使用しないときには、コンパクトに折りたためるので場所をとらず収納も容易であり、第１表示装置及び第２表示装置の表示画面が傷つくことを防止することができる。
【００１５】
請求項５に記載の電子情報表示装置は、請求項１乃至４のいずれか１に記載の電子情報表示装置であって、前記第１表示装置及び前記第２表示装置は、電子ペーパーであることを特徴としている。
【００１６】
この構成によれば、第１表示装置及び第２表示装置は、情報の表示状態の維持に電力を必要としない電子ペーパーであるので、電子情報表示装置の電源が乾電池や二次電池である場合に、乾電池や二次電池を用いて長時間、電子情報表示装置を使用することができる。
【発明を実施するための最良の形態】
【００１７】
以下、本発明に係る電子情報表示装置について、図面を参照しつつ説明する。図１は、本発明に係る電子情報表示装置１のブロック構成を示すブロック図である。図１に示すように、電子情報装置１は、ＭＰＵ（Micro Processing Unit）１０、第１電子ペーパー１１、タッチパネル１２、第２電子ペーパー１３、入力ボタン１４、ＲＯＭ（Read Only Memory）１５、ＲＡＭ（Random Access Memory）１６、及び、メモリスロット１７の構成要素を備えており、各構成要素１０乃至１７は、バス１８によって電気的に接続されている。
【００１８】
ＭＰＵ１０は、電子情報表示装置１の各構成要素１１乃至１７の動作を制御する演算処理装置である。第１電子ペーパー１１及び第２電子ペーパー１３は、所定の情報を表示するための表示装置である。タッチパネル１２は、指やスタイラスで触れられたパネル（画面）上の位置を検出し、パネル上の位置を指定することによってＭＰＵ１０に指示を与えるものである。タッチパネル１２は、第１電子ペーパー１１の上に配置されている。したがって、ＭＰＵ１０は、タッチパネル１２で検出したタッチパネル１２におけるパネル上の位置と、当該位置に対応して第１電子ペーパー１１に表示されている表示内容に基づいてユーザの操作内容を判断し、操作内容に応じた処理を行う。
【００１９】
入力ボタン１４は、ＭＰＵ１０に対して所定の操作を指示するためのボタン群であり、メニューを呼び出すためのメニューボタン１４ａ、第１電子ペーパー１１及び第２電子ペーパー１３における表示を順送りする順送りボタン１４ｂ、１４ｄ、並びに、表示を逆送りする逆送りボタン１４ｃ、１４ｄを含んでいる。
【００２０】
ＲＯＭ１５は、読み出し専用の記憶装置であり、ＭＰＵ１０によって実行されるプログラムなどが記憶されている。ＲＡＭ１６は、書き込み及び読み出しが可能な記憶装置であり、主に情報の一時記憶に使用され、ＭＰＵ１０によるプログラム実行時の作業場所などに利用される。
【００２１】
メモリスロット１７は、電子情報表示装置１で表示するコンテンツが記憶されたメモリカード１００を着脱自在に接続し、メモリカード１００に記憶されているコンテンツの情報を読み出し可能とするものである。
【００２２】
図２は、電子情報表示装置１の外観の一例を示す説明図である。図２に示すように、電子情報表示装置１の外観は、左筐体部分２０、右筐体部分２１、及び、ヒンジ機構２２からなっている。左筐体部分２０、及び、右筐体部分２１は、所定の厚みを持った長方形の板状の形状となっている。そして、左筐体部分２０の上面には、第１電子ペーパー１１が設けられており、第１電子ペーパー１１の上部にはさらにタッチパネル１２が設けられている。また、右筐体部分２１の上面には第２電子ペーパー１２が設けられている。電子情報表示装置１は、ヒンジ機構２２の働きにより、第１電子ペーパー１１（タッチパネル１２）と第２電子ペーパー１３とを対面させた状態となるように折りたたみが可能となっている。
【００２３】
さらに、左筐体部分２０の上面における第１電子ペーパー１１の下方には、メニューボタン１４ａ、順送りボタン１４ｂ、及び、逆送りボタン１４ｃが配置されている。同様に、右筐体部分２１の上面における第２電子ペーパー１３の下方には、順送りボタン１４ｄ、及び、逆送りボタン１４ｅが配置されている。また、右筐体部分２１の右側面には、コンテンツを記憶したメモリカード１００を挿入するためのメモリスロット１７が設けられている。
【００２４】
このような電子情報表示装置１では、メモリカード１００にコンテンツとして記憶されている各情報から選択した複数の情報を、第１電子ペーパー１１と第２電子ペーパー１３とのどちらに表示するかを選択し、また、順番を指定して表示することができる。以下において、第１電子ペーパー１１を第１画面１１と呼び、第２電子ペーパー１３を第２画面１３と呼ぶ。
【００２５】
次に、図３のフローチャートを用いて、メモリカード１００にコンテンツとして記憶されている情報を第１画面１１及び第２画面１３に表示させる場合に、ＭＰＵ１０が実行する処理の内容について説明する。ＭＰＵ１０は、ＲＯＭ１５に記憶されているプログラムに基づいて図３のフローチャートに示す各処理を実行する。
【００２６】
例えば、コンテンツとしての百科事典を電子情報表示装置１で利用する場合には、ユーザは、百科事典のコンテンツが記憶されたメモリカード１００をメモリスロット１７に挿入して装着する。そして、ユーザが電源を投入した後にメニューボタン１４ａを押下すると、第１画面１１にメニュー画面が表示される。さらにユーザが、タッチパネル１２の所定の箇所をスタイラスなどでタップすることによって、百科事典に収録されている項目の情報を、表示画面（第１画面１１又は第２画面１２）及び表示順番を選択して表示するためのメニュー項目を選択すると、ＭＰＵ１０は、図４に示すように、第１画面１１に、百科事典に収録されている項目の情報の識別情報としてのサムネイル３０を表示する（Ｓ１）。
【００２７】
サムネイル３０は、百科事典に収録されている各項目の情報を第１画面１１又は第２画面１３に表示した場合に、該当項目の情報の第１ページ目として表示される画像やテキストを縮小して表示したものである。
【００２８】
第１画面１１にサムネイル３０を表示した際に、ＭＰＵ１０は、第２画面１３には、図４に示すように、「サムネイルで項目を選択し、表示画面と表示順番を選択してください。」というメッセージを表示し、項目、表示画面、及び、表示順番の選択をユーザに促す。また、スクロールバー３１ａをタップしてドラッグしたり、スクロールボタン３１ｂ、３１ｃをタップしたりすることによって、第１画面１１に表示しきれないサムネイル３０をスクロール表示することができる。
【００２９】
サムネイル３０を表示すると、ＭＵＰ１０は、項目、表示画面、及び、表示順番の選択が完了したか否かを判断する（Ｓ２）。ＭＰＵ１０は、完了用アイコン３５がタップされた場合に、項目、表示画面、及び、表示順番の選択が完了したと判断する。また、メニューボタン１４ａが操作された場合には、項目、表示画面、及び、表示順番の選択処理を中止する。
【００３０】
項目、表示画面、及び、表示順番の選択が完了していないと判断すると（Ｓ２：ＮＯ）、ＭＰＵ１０は、ユーザによる表示項目の選択を受け付ける（Ｓ３）。つまり、ユーザが、第１画面１１に表示されたサムネイル３０をタッチパネル１２の上からタップすると、ＭＰＵ１０は、タッチパネル１２上のタップ位置に対応するサムネイル３０の選択を受け付け、選択されたサムネイル３０に対応する項目の情報が記憶されているメモリカード１００上のアドレス（以下、「項目情報アドレス」と呼ぶ。）をＲＡＭ１６に記憶する。ＭＰＵ１０は、サムネイル３０の選択を受け付けると、図５に示すように、選択されたサムネイル３０を網掛け表示や反転表示して示す。また、ＭＰＵ１０は、第１画面１１の左下部分に、選択された項目を表示する画面（第１画面１１又は第２画面１３）を選択するための表示装置選択用情報３２を表示する。表示装置選択用情報３２は、第１画面１１を示すアイコン３２ａと第２画面１３を示すアイコン３２ｂとからなる。さらに、ＭＰＵ１０は、第２画面１３に、選択されたサムネイル３０に対応する項目の情報（内容）を表示させる。ユーザは、第２画面１３に表示された内容により、選択した項目が正しいか否かを判断することができる。
【００３１】
ユーザは、サムネイル３０により選択した項目の情報を第１画面１１に表示させたい場合にはアイコン３２ａをタップして第１画面１１を選択し、第２画面１３に表示させたい場合にはアイコン３２ｂをタップして第２画面１３を選択する。すると、ＭＰＵ１０は、タップされたアイコンに対応する画面の選択を受け付け（Ｓ４）、選択された第１画面１１又は第２画面１３を示す画面識別情報を、先に記憶した項目情報アドレスに対応付けてＲＡＭ１６に記憶する。また、ＭＰＵ１０は、図６に示すように、タップによって選択されたアイコン３２ａ又はアイコン３２ｂを網掛け表示や反転表示することによって示す。さらに、ＭＰＵ１０は、画面の選択を受け付けると、第１画面１１の右下部分に、表示順番選択用情報３３、及び、決定用アイコン３４を表示する。
【００３２】
表示順番選択用情報３３は、順番表示枠３３ａ、アップ用アイコン３３ｂ、ダウン用アイコン３３ｃからなる。順番表示枠３３ａには、選択した項目の選択した画面における表示順番を示す番号の数字が表示される。例えば、第１画面１１又は第２画面１３に表示させる項目をはじめて選択した場合には、順番表示枠３３ａには、数字「１」が表示される。また、第１画面１１に表示させる項目が既に２つ選択されている場合には、順番表示枠３３ａには、数字「３」が表示される。さらに、例えば、順番表示枠３３ａに数字「３」が表示されている状態で、アップ用アイコン３３ｂを一度タップすると、順番表示枠３３ａに表示されている数字が「３」から「２」にアップされ、選択した項目の第１画面１１における表示順番が２番目に繰り上げられる。これにより、第１画面１１に２番目に表示される予定であった項目は、３番目に表示されることとなる。また、ダウン用アイコン３３ｃをタップすることにより、表示順番をダウンさせることができる。アップ用アイコン３３ｂやダウン用アイコン３３ｃをタップして表示順番を選択して決定用アイコン３４をタップすると、当該項目の当該画面における表示順番の選択が決定され、ＭＰＵ１０がこれを受け付け（Ｓ５）、選択された表示順番を示す順番情報を、先に記憶されている、項目情報アドレス及び画面識別情報に対応付けてＲＡＭ１６に記憶する。
【００３３】
決定用アイコン３４がタップされて表示順番の選択を受け付けると、ＭＰＵ１０は、再び、図４に示したように、第１画面１１にサムネイル３０を表示し、第２画面１３にユーザへのメッセージを表示する。そして、ユーザは、再び、サムネイル３０をタップして表示する項目の選択し、表示画面や表示順番の選択を行う。図４に示した状態で、ユーザが、第１画面１１の右下に表示された完了用アイコン３５をタップすると、ＭＵＰ１０は、表示する項目の選択が完了したと判断し（Ｓ２：ＹＥＳ）、ステップＳ６に進む。
【００３４】
ステップＳ６では、ＭＰＵ１０は、ＲＡＭ１６に記憶されている項目情報アドレス、画面識別情報、及び、順番情報に基づいて、図７に示すように、第１画面１１に１番目に表示するように選択された項目の情報を第１画面１１に表示し、第２画面１３に１番目に表示するように選択された項目の情報を第２画面１３に表示する。
【００３５】
図７に示すように、第１画面１１及び第２画面１３に項目の情報が表示されている状態で、ユーザが、メニューボタン１４ａを操作すると、ＭＰＵ１０は、項目の情報の表示の終了が指示されたと判断し（Ｓ７：ＹＥＳ）、項目の表示処理を終了する。
【００３６】
一方、ユーザによって、順送りボタン１４ｂ、１４ｄ、並びに、逆送りボタン１４ｃ、１４ｅが操作されると、ＭＰＵ１０は、表示する項目を変更する操作がおこなわれたと判断し（Ｓ８：ＹＥＳ）、表示項目変更処理を実行する（Ｓ９）。表示項目変更処理は、順送りボタン１４ｂ、１４ｄ、並びに、逆送りボタン１４ｃ、１４ｅの操作に応じ、ＲＡＭ１６に記憶されている項目情報アドレス、画面識別情報、及び、順番情報に基づいて実行される。具体的には、例えば、順送りボタン１４ｂが一度操作されると、第１画面１１における表示順番（順番情報）が、現在、第１画面１１に表示されている項目の後の順番である項目の情報が第１画面１１に表示される。また、逆送りボタン１４ｃが一度操作されると、第１画面１１における表示順番（順番情報）が、現在、第１画面１１に表示されている項目の前の順番である項目の情報が第１画面１１に表示される。順送りボタン１４ｄ、及び、逆送りボタン１４ｅが操作された場合の第２画面１３における表示の変更も同様である。なお、第１画面１１又は第２画面１３に表示されている項目の情報が第１画面１１又は第２画面１３の一画面に表示し切れていない場合には、順送りボタン１４ｂ又は１４ｄを長押しすることによって、未表示の情報を順スクロールさせて表示することができる。また、逆送りボタン１４ｃ又は１４ｅを長押しした場合には、未表示の情報を逆スクロールさせて表示することができる。
【００３７】
以上に説明したように、本発明に係る電子情報表示装置１によれば、メモリカード１００に記憶されている例えば百科事典コンテンツに収録されている項目の中から選択した複数の項目の情報を、第１画面１１又は第２画面１３を指定し、さらに、第１画面１１又は第２画面１３における表示順番を指定して表示することができる。また、選択された表示の順番に基づいて、項目の情報を順送り又は逆送りして適宜に表示することができる。したがって、複数の項目の情報を簡単な操作によって順次に表示させて見比べることができるので使い勝手が非常によい。
【００３８】
なお、本発明の実施形態は上述の形態に限らず、本発明の技術的思想の範囲内において種々に変更することができる。例えば、上述の実施形態では、メモリカード１００に記憶されている各情報を識別する識別情報としてサムネイル３０を採用したが、この識別情報はサムネイル３０に限らず、目次や索引などのように、情報の内容を表すテキストなどによる見出しであってもよい。
【００３９】
また、上述の実施形態では、第１表示装置及び第２表示装置として電子ペーパーを採用したが、第１表示装置及び第２表示装置は、電子ペーパーに限らず、液晶表示パネルなどであってもよい。しかし、省電力化を実現するためには、液晶表示パネルよりも電子ペーパーであることが好ましい。
【００４０】
さらに、上述の実施形態では、第１電子ペーパー１１の上面にのみタッチパネル１２を備える構成を採用したが、第２電子ペーパー１３の上面にのみタッチパネル１２を備える構成や第１電子ペーパー１１の上面と第２電子ペーパー１３の上面との両方にタッチパネル１２を備える構成とし、第２電子ペーパー１３に表示された情報にも基づいて入力操作を行うようにしてもよい。
【００４１】
また、上述の実施形態では、第１電子ペーパー１１及び第２電子ペーパー１３に表示する情報は、電子情報表示装置１に着脱自在なメモリカード１００に記憶されている情報としたが、表示する情報は、メモリカード１００などのように着脱自在な記憶装置に記憶されている情報だけでなく、電子情報表示装置１に内蔵させた記憶装置に記憶されている情報であってもよい。
【００４２】
さらに、上述の実施形態では、第１電子ペーパー１１及び第２電子ペーパー１３に表示する項目の変更は、左筐体部分２０に設けられている順送りボタン１４ｂ、及び、逆送りボタン１４ｃ、並びに、右筐体部分２１に設けられている順送りボタン１４ｄ、及び、逆送りボタン１４ｅを操作することによって行うこととしたが、これに替えて、第１電子ペーパー１１に順送り用アイコンと逆送り用アイコンを表示し、これらのアイコンをタップすることによって行うようにしてもよい。
【００４３】
また、上述の実施形態では、メモリカード１００に記憶されている全ての項目の情報のサムネイル３０を表示対象として、第１電子ペーパー１１にスクロール表示可能としたが、メモリカード１００に記憶されている項目をキーワードなどによって検索可能とし、検索でヒットした項目の情報のサムネイル３０のみを第１電子ペーパー１１に表示するようにしてもよい。
【産業上の利用可能性】
【００４４】
本発明は、第１表示装置と第２表示装置とを有し、少なくとも第１表示装置にタッチパネルを備える電子情報表示装置に適用可能である。
【図面の簡単な説明】
【００４５】
【図１】本発明に係る電子情報表示装置１の構成例を示すブロック図である。
【図２】電子情報表示装置１の外観の様子を示す説明図である。
【図３】電子情報表示装置１のＭＰＵ１０が実行する処理の例を示すフローチャートである。
【図４】電子情報表示装置１の操作及び表示の例を示す説明図である。
【図５】電子情報表示装置１の操作及び表示の例を示す説明図である。
【図６】電子情報表示装置１の操作及び表示の例を示す説明図である。
【図７】電子情報表示装置１の操作及び表示の例を示す説明図である。
【符号の説明】
【００４６】
１      電子情報表示装置
１０    ＭＰＵ
１１    第１電子ペーパー（第１画面）
１２    タッチパネル
１３    第２電子ペーパー（第２画面）
１６    ＲＡＭ
１４    入力ボタン
１４ｂ  順送りボタン
１４ｃ  逆送りボタン
１４ｄ  順送りボタン
１４ｅ  逆送りボタン
１００  メモリカード
【図１】
2008217647.tif 000003
【図２】
2008217647.tif 000004
【図３】
2008217647.tif 000005
【図４】
2008217647.tif 000006
【図５】
2008217647.tif 000007
【図６】
2008217647.tif 000008
【図７】
2008217647.tif 000009